(57)【要約】  【課題】ユーザが被写体に含まれる記念写真の撮影をユーザに依頼された他者が、ユーザが意図した構図で記念写真の撮影をすることができる。  【解決手段】まず、構図決定用の画像を撮影し、構図決定用の画像から顔領域（顔ａ）を検出し、記念写真において自分の顔を配置したいと考える位置（顔ｂ）を設定し、これらに基づいて基準線１を設定する。その後、記念写真の撮影を他者に依頼し、スルー画像を撮影し、撮影されたスルー画像から顔ａ、顔ｂの位置を検出し、検出された顔ａ、顔ｂの位置に基づいて基準線２を生成し、基準線１と基準線２との成す角度θ１を算出する。角度θ１が閾値以上である場合には、スルー画像にアドバイスを合成して表示する。これにより、希望の構図になるように誘導することができる。角度θ１が閾値以上でない場合には撮影処理を行なう。これにより、設定した構図での撮影を確実に行うことができる。【選択図】  図７
2010141609.tif 000002
【特許請求の範囲】
【請求項１】
画像を撮像する撮像手段と、
前記撮像手段を介して構図決定用の画像信号を取得する画像取得手段と、
前記画像取得手段により取得された構図決定用の画像信号の中から基準となる顔を検出する第１の顔検出手段と、
前記画像取得手段により取得した構図決定用の画像信号に基づいて構図決定用の画像を表示する表示手段と、
前記表示手段に表示された構図決定用の画像の中から他の顔が入るべき所望の位置を設定する設定手段と、
前記顔検出手段により検出された基準の顔の位置と、前記設定手段により設定された所望の位置とに基づいて第１の基準線を設定する第１の基準線設定手段と、
を備えたことを特徴とする撮像装置。
【請求項２】
前記表示手段に表示された構図決定用の画像上に前記第１の基準線設定手段により設定された第１の基準線を合成する表示制御手段を備えたことを特徴とする請求項１に記載の撮像装置。
【請求項３】
前記画像取得手段は、前記撮像手段を介して被写体を示す画像信号を連続的に取得し、
前記画像取得手段により連続的に取得された画像信号から被写体の顔を検出する第２の顔検出手段であって、前記第１の顔検出手段により検出された基準の顔の位置と略同一の位置から被写体の顔を検出し、かつ前記設定手段により設定された所望の位置及びその近傍から被写体の顔を検出する第２の顔検出手段と、
前記第２の顔検出手段により検出された顔の位置に基づいて第２の基準線を設定する第２の基準線設定手段と、
前記第１の基準線設定手段により設定された第１の基準線と、前記第２の基準線設定手段により設定された第２の基準線とがなす角度を算出する角度算出手段と、
前記角度算出手段により算出された角度が所定の閾値以上であるか否かを判断する判断手段と、
前記判断手段により前記角度算出手段により算出された角度が所定の閾値以上であると判断された場合には、構図変更を誘導するアドバイスを出力する出力手段と、
を備えたことを特徴とする請求項１又は２に記載の撮像装置。
【請求項４】
複数のアドバイスが格納されたアドバイス格納手段を備え、
前記出力手段は、前記算出された角度に基づいて前記アドバイス格納手段に格納されたアドバイスから適切なアドバイスを選択して出力することを特徴とする請求項３に記載の撮像装置。
【請求項５】
前記表示手段は、前記画像取得手段により連続的に取得された画像信号に基づいてスルー画像を表示し、
前記出力手段は、前記アドバイスを前記表示手段に出力することを特徴とする請求項３又は４に記載の撮像装置。
【請求項６】
前記画像取得手段は、前記撮像手段を介して被写体を示す画像信号を連続的に取得し、
前記画像取得手段により連続的に取得された画像信号から被写体の顔を検出する第２の顔検出手段であって、前記第１の顔検出手段により検出された基準の顔の位置と略同一の位置から被写体の顔を検出し、かつ前記設定手段により設定された所望の位置及びその近傍から被写体の顔を検出する第２の顔検出手段と、
前記第２の顔検出手段により検出された顔の位置に基づいて第２の基準線を設定する第２の基準線設定手段と、
前記第１の基準線設定手段により設定された第１の基準線と、前記第２の基準線設定手段により設定された第２の基準線とがなす角度を算出する角度算出手段と、
前記角度算出手段により算出された角度が所定の閾値以上であるか否かを判断する判断手段と、を備え、
前記画像取得手段は、前記判断手段により前記角度算出手段により算出された角度が所定の閾値より小さいと判断された場合には、前記撮像手段を介して被写体像を撮影することを特徴とする請求項１又は２に記載の撮像装置。
【請求項７】
前記表示手段の前面に設けられた前記表示手段と略同形状のタッチパネルと、
前記タッチパネルへの入力を検出する検出手段と、を備え、
前記設定手段は、前記表示手段の前記検出手段により前記入力が検出された位置と重なる位置を前記所望の位置として設定することを特徴とする請求項１から６のいずれかに記載の撮像装置。
【請求項８】
前記第１の顔検出手段は、
前記構図決定用の画像信号の中に含まれる全ての顔を検出する手段と、
前記構図決定用の画像信号の中から複数の顔が検出された場合に、前記表示手段の前記検出手段により入力が検出された位置と重なる位置に表示された画素を含む顔を前記複数の顔から選択する手段と、
前記選択された顔を基準となる顔として検出する手段と、
を含むことを特徴とする請求項７に記載の撮像装置。
【発明の詳細な説明】
【技術分野】
【０００１】
本発明は撮像装置に係り、特に好適な構図で記念写真が撮影可能な撮像装置に関する。
【背景技術】
【０００２】
特許文献１には、仮撮影の時点でモニタに表示されていた画像を構図合わせ用の基準画像として一次記憶し、基準画像を半透明にしてスルー画と合成して表示し、その半透明画像に合わせて撮影することで、依頼者が意図した構図に合わせて撮影することができる撮像装置が提案されている。
【０００３】
また、特許文献２には、撮影画面内の輝度分布に関連する情報を検出し、検出された輝度分布に関連する情報に基づいて撮影画面内から主要被写体の上端に対応するエッジの位置を特定し、予め定められた適正範囲と対比して構図の良否を判定し、不良時には警告を出す撮像装置が提案されている。
【０００４】
また、特許文献３には、撮影画像の撮影条件をネットワークで配信し、ネット上のサーバなどにあらかじめ設定された構図と比較してアドバイスを提示する撮像システムが提案されている。
【特許文献１】特開２００４−２２１８６８号公報
【特許文献２】特開平８−２８６２２６号公報
【特許文献３】特開平８−３２８０６９号公報
【発明の開示】
【発明が解決しようとする課題】
【０００５】
しかしながら、特許文献１に記載された撮像装置では、半透明にした基準画像をスルー画像と合成して表示するため、スルー画の視認が困難であるという欠点がある。また、依頼者と撮影者の背の高さの違い、ズーム操作の有無などにより、記念写真の撮影をユーザから依頼された人が撮影する時に、ユーザが構図を決定した時と全く同じ構図を得ることは困難である。
【０００６】
また、特許文献２に記載された撮像装置が行うのは、一般的な構図を元にしたアドバイスのみであり、ユーザが本来意図した構図に基づいたアドバイスができる訳ではないという欠点がある。
【０００７】
また、特許文献３に記載された撮像システムは、ネットワークに接続出来なければ機能しないという欠点がある。
【０００８】
本発明はこのような事情に鑑みてなされたもので、ユーザが被写体に含まれる記念写真の撮影をユーザに依頼された他者が、ユーザが意図した構図で記念写真の撮影をすることができる撮像装置を提供することを目的とする。
【課題を解決するための手段】
【０００９】
請求項１に記載の撮像装置は、前記目的を達成するために、画像を撮像する撮像手段と、前記撮像手段を介して構図決定用の画像信号を取得する画像取得手段と、前記画像取得手段により取得された構図決定用の画像信号の中から基準となる顔を検出する第１の顔検出手段と、前記画像取得手段により取得した構図決定用の画像信号に基づいて構図決定用の画像を表示する表示手段と、前記表示手段に表示された構図決定用の画像の中から他の顔が入るべき所望の位置を設定する設定手段と、前記顔検出手段により検出された基準の顔の位置と、前記設定手段により設定された所望の位置とに基づいて第１の基準線を設定する第１の基準線設定手段と、を備えたことを特徴とする。
【００１０】
請求項１に記載の撮像装置によれば、構図決定用の画像信号を取得し、構図決定用の画像信号の中から基準となる顔を検出する。また、構図決定用の画像信号に基づいて構図決定用の画像を表示し、表示された構図決定用の画像の中から他の顔が入るべき所望の位置を設定し、基準となる顔の位置と、他の顔が入るべき所望の位置とに基づいて第１の基準線を設定する。この第１の基準線は、記念写真撮影時の基準として用いられる。これにより、ユーザが希望する構図をあらかじめ撮像装置に設定することができる。
【００１１】
請求項２に記載の撮像装置は、請求項１に記載の撮像装置において、前記表示手段に表示された構図決定用の画像上に前記第１の基準線設定手段により設定された第１の基準線を合成する表示制御手段を備えたことを特徴とする。
【００１２】
請求項２に記載の撮像装置によれば、構図決定用の画像上に第１の基準線を合成した画像が表示手段に表示される。これにより、他者に記念写真の撮影を依頼する場合に、希望の構図を他者に示すことができる。したがって、希望通りの構図で記念写真を撮影してもらうことができる。
【００１３】
請求項３に記載の撮像装置は、請求項１又は２に記載の撮像装置において、前記画像取得手段は、前記撮像手段を介して被写体を示す画像信号を連続的に取得し、前記画像取得手段により連続的に取得された画像信号から被写体の顔を検出する第２の顔検出手段であって、前記第１の顔検出手段により検出された基準の顔の位置と略同一の位置から被写体の顔を検出し、かつ前記設定手段により設定された所望の位置及びその近傍から被写体の顔を検出する第２の顔検出手段と、前記第２の顔検出手段により検出された顔の位置に基づいて第２の基準線を設定する第２の基準線設定手段と、前記第１の基準線設定手段により設定された第１の基準線と、前記第２の基準線設定手段により設定された第２の基準線とがなす角度を算出する角度算出手段と、前記角度算出手段により算出された角度が所定の閾値以上であるか否かを判断する判断手段と、前記判断手段により前記角度算出手段により算出された角度が所定の閾値以上であると判断された場合には、構図変更を誘導するアドバイスを出力する出力手段と、を備えたことを特徴とする。
【００１４】
請求項３に記載の撮像装置によれば、被写体を示す画像信号を連続的に取得し、連続的に取得された画像信号から被写体の顔を検出する。このとき、構図決定用の画像から検出された顔の位置と略同一の位置から被写体の顔を検出し、構図決定用の画像の中から設定された所望の位置及びその近傍から被写体の顔を検出する。検出した顔の位置に基づいて第２の基準線を設定し、第１の基準線と第２の基準線とがなす角度を算出し、算出された角度が所定の閾値以上である場合には、構図変更を誘導するアドバイスを出力する。これにより、記念写真の撮影時に、希望の構図になるように撮影を依頼された他者を誘導することができる。したがって、希望通りの構図で記念写真を撮影してもらうことができる。
【００１５】
請求項４に記載の撮像装置は、請求項３に記載の撮像装置において、複数のアドバイスが格納されたアドバイス格納手段を備え、前記出力手段は、前記算出された角度に基づいて前記アドバイス格納手段に格納されたアドバイスから適切なアドバイスを選択して出力することを特徴とする。
【００１６】
請求項４に記載の撮像装置によれば、第１の基準線と第２の基準線とがなす角度に基づいてアドバイス格納手段に格納されたアドバイスから適切なアドバイスを選択することで、撮影を依頼された他者に的確なアドバイスをすることができる。
【００１７】
請求項５に記載の撮像装置は、請求項３又は４に記載の撮像装置において、前記表示手段は、前記画像取得手段により連続的に取得された画像信号に基づいてスルー画像を表示し、前記出力手段は、前記アドバイスを前記表示手段に出力することを特徴とする。
【００１８】
請求項５に記載の撮像装置によれば、アドバイスを表示手段に出力することで、撮影を依頼された他者にわかり易くアドバイスをすることができる。
【００１９】
請求項６に記載の撮像装置は、請求項１又は２に記載の撮像装置において、前記画像取得手段は、前記撮像手段を介して被写体を示す画像信号を連続的に取得し、前記画像取得手段により連続的に取得された画像信号から被写体の顔を検出する第２の顔検出手段であって、前記第１の顔検出手段により検出された基準の顔の位置と略同一の位置から被写体の顔を検出し、かつ前記設定手段により設定された所望の位置及びその近傍から被写体の顔を検出する第２の顔検出手段と、前記第２の顔検出手段により検出された顔の位置に基づいて第２の基準線を設定する第２の基準線設定手段と、前記第１の基準線設定手段により設定された第１の基準線と、前記第２の基準線設定手段により設定された第２の基準線とがなす角度を算出する角度算出手段と、前記角度算出手段により算出された角度が所定の閾値以上であるか否かを判断する判断手段と、を備え、前記画像取得手段は、前記判断手段により前記角度算出手段により算出された角度が所定の閾値より小さいと判断された場合には、前記撮像手段を介して被写体像を撮影することを特徴とする。
【００２０】
請求項６記載の撮像装置によれば、第１の基準線と第２の基準線とがなす角度が所定の閾値より小さい場合には、被写体像を撮影することで、シャッターチャンスを逃すことなく、希望通りの構図の記念写真を撮像することができる。
【００２１】
請求項７に記載の撮像装置は、請求項１から６のいずれかに記載の撮像装置において、前記表示手段の前面に設けられた前記表示手段と略同形状のタッチパネルと、前記タッチパネルへの入力を検出する検出手段と、を備え、前記領域設定手段は、前記表示手段の前記検出手段により前記入力が検出された位置を前記所望の領域として設定することを特徴とする。
【００２２】
請求項７に記載の撮像装置によれば、表示手段の前面に表示手段と略同形状のタッチパネルが設けられ、表示手段のタッチパネルへの入力が検出された位置を所望の位置として設定する。これにより、構図設定の操作が容易となる。
【００２３】
請求項８に記載の撮像装置は、請求項７に記載の撮像装置において、前記第１の顔検出手段は、前記構図決定用の画像信号の中に含まれる全ての顔を検出する手段と、前記構図決定用の画像信号の中から複数の顔が検出された場合に、前記表示手段の前記検出手段により入力が検出された位置と重なる位置に表示された画素を含む顔を前記複数の顔から選択する手段と、前記選択された顔を基準となる顔として検出する手段と、を含むことを特徴とする。
【００２４】
請求項８に記載の撮像装置によれば、構図決定用の画像信号から複数の顔が検出された場合に、表示手段のタッチパネルへの入力が検出された位置と重なる位置に表示された画素を含む顔の位置と、構図決定用の画像の中から設定された所望の位置とに基づいて第１の基準線を設定する。これにより、構図設定の操作が容易となる。
【発明の効果】
【００２５】
本発明によれば、ユーザが被写体に含まれる記念写真の撮影をユーザに依頼された他者が、ユーザが意図した構図で記念写真の撮影をすることができる。
【発明を実施するための最良の形態】
【００２６】
以下、添付図面に従って本発明に係るカメラを実施するための最良の形態について詳細に説明する。
【００２７】
＜第１の実施の形態＞
図１は本発明に係る第１の実施の形態の撮像装置の一実施形態を示す正面斜視図である。図２は、上記撮像装置の一実施形態を示す背面図である。この撮像装置は、レンズを通った光を撮像素子で受け、デジタル信号に変換して記憶メディアに記録するデジタルカメラである。
【００２８】
デジタルカメラ１０のカメラボディ１２は、横長の四角い箱状に形成されており、その正面には、図１に示すように、レンズ１４、ストロボ１６、ファインダ窓１８、セルフタイマランプ２０、ＡＦ補助光ランプ２２、ストロボ調光センサ２４等が配設されている。また、カメラボディ１２の上面にはシャッターボタン２６、電源／モードスイッチ２８、モードダイヤル３０等が配設されている。一方、カメラボディ１２の背面には、図２に示すように、モニタ３１（タッチパネル３２の背面に配設されているため、図２では図示せず）、タッチパネル３２、ファインダ接眼部３４、スピーカ３６、ズームボタン３８、十字ボタン４０、ＭＥＮＵ／ＯＫボタン４２、ＤＩＳＰボタン４４、ＢＡＣＫボタン４６等が配設されている。
【００２９】
なお、図示しないカメラボディ１２の下面には、三脚ネジ穴と、開閉自在なカバーを介してバッテリ挿入部とメモリカードスロットとが設けられており、このバッテリ挿入部とメモリカードスロットにバッテリとメモリカードが装填される。
【００３０】
レンズ１４は、沈胴式のズームレンズで構成されており、電源／モードスイッチ２８によってカメラのモードを撮影モードに設定することにより、カメラボディ１２から繰り出される。なお、レンズ１４のズーム機構や沈胴機構については、公知の技術なので、ここでは、その具体的な構成についての説明は省略する。
【００３１】
ストロボ１６は、主要被写体に向けてストロボ光を照射する。
【００３２】
ファインダ窓１８は、撮影する被写体を決めるのぞき窓の部分である。
【００３３】
セルフタイマランプ２０は、たとえばＬＥＤで構成されており、後述するシャッターボタン２６を押した後、一定時間を経過した後で撮影を行うセルフタイマ機能を用いて撮影を行うときに発光される。
【００３４】
ＡＦ補助光ランプ２２は、たとえば高輝度ＬＥＤで構成されており、ＡＦ時に必要に応じて発光される。
【００３５】
ストロボ調光センサ２４は、ストロボ１６の発光量を調整するものである。
【００３６】
シャッターボタン２６は、いわゆる「半押し」と「全押し」とからなる２段ストローク式のスイッチで構成されている。デジタルカメラ１０は、このシャッターボタン２６が「半押し」されることにより、ＡＥ／ＡＦが作動し、「全押し」されることにより、撮影を実行する。
【００３７】
電源／モードスイッチ２８は、デジタルカメラ１０の電源をＯＮ／ＯＦＦする電源スイッチとしての機能と、デジタルカメラ１０のモードを設定するモードスイッチとしての機能とを併せ持っており、「ＯＦＦ位置」と「再生位置」と「撮影位置」との間をスライド自在に配設されている。デジタルカメラ１０は、電源／モードスイッチ２８をスライドさせて、「再生位置」又は「撮影位置」に合わせることにより、電源がＯＮになり、「ＯＦＦ位置」に合わせることにより、電源がＯＦＦになる。そして、電源／モードスイッチ２８をスライドさせて、「再生位置」に合わせることにより、「再生モード」に設定され、「撮影位置」に合わせることにより、「撮影モード」に設定される。
【００３８】
モードダイヤル３０は、デジタルカメラ１０の撮影モードを設定する撮影モード設定手段として機能し、このモードダイヤルの設定位置により、デジタルカメラ１０の撮影モードが様々なモードに設定される。例えば、絞り、シャッタースピード等がデジタルカメラ１０によって自動的に設定される「オート撮影モード」、動画撮影を行う「動画撮影モード」、人物撮影に適した「人物撮影モード」、動体撮影に適した「スポーツ撮影モード」、風景の撮影に適した「風景撮影モード」、夕景及び夜景の撮影に適した「夜景撮影モード」、絞りの目盛りを撮影者が設定し、シャッタースピードをデジタルカメラ１０が自動的に設定する「絞り優先撮影モード」、シャッタースピードを撮影者が設定し、絞りの目盛りをデジタルカメラ１０が自動的に設定する「シャッタースピード優先撮影モード」、絞り、シャッタースピード等を撮影者が設定する「マニュアル撮影モード」、設定した構図を他者に伝え、意図した記念写真を撮影してもらう「記念写真撮影モード」（詳細は後述）等である。
【００３９】
モニタ３１は、カラー表示が可能な液晶ディスプレイで構成されている。このモニタ３１は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００４０】
タッチパネル３２は、透明導電膜（ＩＴＯ）が片側に成膜された素材（主としてフィルムやガラス）に形成された透明導電膜間が互いに向い合うように所定の距離をもって貼り合わされたアナログ抵抗膜方式のタッチパネルであり、指やペンで押圧された場合に透明導電膜同士が接触することによって信号が入力される。タッチパネル３２は、モニタ３１の大きさと略同一であり、モニタ３１の前面に重ねて配設される。
【００４１】
ズームボタン３８は、ズームを指示するズーム指示手段として機能し、望遠側へのズームを指示するズームテレボタン３８Ｔと、広角側へのズームを指示するズームワイドボタン３８Ｗとからなる。デジタルカメラ１０は、撮影モード時に、このズームテレボタン３８Ｔとズームワイドボタン３８Ｗとが操作されることにより、レンズ１４の焦点距離が変化する。また、再生モード時に、このズームテレボタン３８Ｔとズームワイドボタン３８Ｗとが操作されることにより、再生中の画像が拡大、縮小する。
【００４２】
十字ボタン４０は、上下左右４方向の指示を入力する方向指示手段として機能し、たとえば、メニュー画面でメニュー項目の選択などに使用される。
【００４３】
ＭＥＮＵ／ＯＫボタン４２は、各モードの通常画面からメニュー画面への遷移を指示するボタン（ＭＥＮＵボタン）として機能するととともに、選択内容の確定、処理の実行等を指示するボタン（ＯＫボタン）として機能する。
【００４４】
ＤＩＳＰボタン４４は、モニタ３１の表示切り替えを指示するボタンとして機能し、撮影中、このＤＩＳＰボタン４４が押されると、モニタ３１の表示が、ＯＮ→フレーミングガイド表示→ＯＦＦに切り替えられる。また、再生中、このＤＩＳＰボタン４４が押されると、通常再生→文字表示なし再生→マルチ再生に切り替えられる。
【００４５】
ＢＡＣＫボタン４６は、入力操作のキャンセルや一つ前の操作状態に戻すことを指示するボタンとして機能する。
【００４６】
図３は、デジタルカメラ１０内部の概略構成を示すブロック図である。
【００４７】
同図に示すように、デジタルカメラ１０は、ＣＰＵ１１０、キー入力部（シャッターボタン２６、電源／モードスイッチ２８、モードダイヤル３０、ズームボタン３８、十字ボタン４０、ＭＥＮＵ／ＯＫボタン４２、ＤＩＳＰボタン４４、ＢＡＣＫボタン４６等）１１２、アドレス・データバス１１４、ＤＲＡＭ１１６、内蔵フラッシュメモリ１１８、レンズ・絞り１２０、レンズ・絞り駆動部１２２、撮像素子１２４、タイミングジェネレータ（ＴＧ）１２６、アナログ処理部１２８、画像信号処理部１３０、顔検出部１３２、ＡＦ検出部１３４、ＡＥ／ＡＷＢ検出部１３６、カードＩ／Ｆ１３８、メモリカード１３９、ビデオエンコーダ１４０、基準線生成部１４２、基準線演算部１４４、アドバイステーブル格納部１４６等で構成されている。
【００４８】
ＣＰＵ１１０は、キー入力部１１２から入力される操作信号に基づき所定の制御プログラムに従ってデジタルカメラ１０の全体を統括制御する。
【００４９】
また、ＣＰＵ１１０は、画像信号処理部１３０により生成された画像データが入力されると、画像データに所定形式の圧縮処理を施して圧縮画像データを生成すると共に、圧縮画像データが入力されると、圧縮画像データに所定形式の伸張処理を施して非圧縮の画像データを生成する。
【００５０】
アドレス・データバス１１４を介してＣＰＵ１１０と接続されたＤＲＡＭ１１６は、ＣＰＵ１１０の演算作業用領域として利用されるとともに、画像データ等の一時記憶領域として利用される。また、内蔵フラッシュメモリ１１８には、このＣＰＵ１１０が実行する制御プログラム及び制御に必要な各種データ、ユーザ設定情報等のデジタルカメラ１０の動作に関する各種設定情報等が格納されている。
【００５１】
レンズ・絞り１２０は、レンズ１４を含み、主として、ズームレンズ、フォーカスレンズ及び絞りで構成される。
【００５２】
レンズ・絞り駆動部１２２は、ＣＰＵ１１０からの指令に応じてレンズ・絞り１２０の動作を制御する。
【００５３】
撮像素子１２４は、たとえば、所定のカラーフィルタ配列のカラーＣＣＤで構成されており、レンズ１４によって結像された被写体の画像を電子的に撮像する。タイミングジェネレータ（ＴＧ）１２６は、ＣＰＵ１１０からの指令に応じて、この撮像素子１２４を駆動するためのタイミング信号を出力する。
【００５４】
アナログ処理部１２８は、撮像素子１２４から出力された画像信号に対して、画素ごとのＲ、Ｇ、Ｂ信号をサンプリングホールド（相関二重サンプリング処理）し、増幅してアナログのＲ、Ｇ、Ｂ信号を生成する。そして、アナログのＲ、Ｇ、Ｂ信号をデジタルのＲ、Ｇ、Ｂ信号に変換し、ＣＰＵ１１０へ出力する。
【００５５】
画像信号処理部１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００５６】
顔検出部１３２は、ＣＰＵ１１０からの指令に従い、入力された画像データから画像内の顔領域を抽出し、その位置（たとえば、顔領域の重心）を検出する。この顔領域の抽出は、たとえば、原画像から肌色データを抽出し、肌色範囲と判断された測光点のクラスタを顔として抽出する。この他、画像から顔領域を抽出する方法としては、測光データを色相と彩度に変換し、変換した色相・彩度の二次元ヒストグラムを作成し、解析することで、顔領域を判断する方法や、人の顔の形状に相当する顔候補領域を抽出し、その領域内の特徴量から顔領域を決定する方法、画像から人の顔の輪郭を抽出し、顔領域を決定する方法、複数の顔の形状をしたテンプレートを用意し、そのテンプレートと画像との相関を計算し、この相関値により顔候補領域とすることで人の顔を抽出する方法等が知られており、これらの方法を用いて抽出することができる。
【００５７】
ＡＦ検出部１３４は、Ｇ信号の高周波成分のみを通過させるハイパスフィルタ、絶対値化処理部、所定のフォーカスエリア（たとえば、画面中央部）内の信号を切り出すＡＦエリア検出部及びＡＦエリア内の絶対値データを積算する積算部から構成される。
【００５８】
ＡＥ／ＡＷＢ検出部１３６は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。
【００５９】
カードＩ／Ｆ１３８は、ＣＰＵ１１０からの指令に従い、メディアスロットに装填されたメモリカード１３９に対してデータの読み／書きを制御する。
【００６０】
ビデオエンコーダ１４０は、ＣＰＵ１１０からの指令に従い、モニタ３１への表示を制御する。すなわち、ＣＰＵ１１０からの指令に従い、入力された画像信号をモニタ３１に表示するための映像信号（たとえば、ＮＴＳＣ信号やＰＡＬ信号、ＳＣＡＭ信号）に変換してモニタ３１に出力するとともに、必要に応じて基準線生成部１４２から出力された基準線や基準線演算部１４４などから出力された文字、図形情報を合成してモニタ３１に出力する。
【００６１】
基準線生成部１４２は、顔検出部１３２により検出された顔の位置に基づいて構図決定の基準となる基準線を生成し、ビデオエンコーダ１４０に出力する。基準線生成部１４２が基準線を生成する方法については、後に詳述する。
【００６２】
基準線演算部１４４は、構図決定をするための撮影（以下、仮撮影という）で撮像素子１２４が取得した画像データに基づいて基準線生成部１４２が生成された基準線と、他者に記念写真の撮影を依頼したときの撮影（以下、本撮影という）で撮像素子１２４が取得した画像データに基づいて基準線生成部１４２が生成された基準線とがなす角度を算出する。
【００６３】
また、基準線演算部１４４は、算出した角度に基づいて、アドバイステーブル格納部１４６に格納されたアドバイステーブルからアドバイスを抽出し、ビデオエンコーダ１４０に出力する。基準線演算部１４４が行う処理については、後に詳述する。
【００６４】
アドバイステーブル格納部１４６は、基準線演算部１４４で算出された基準線間の角度と、どのようにすれば依頼者が意図した構図で撮影が可能かを撮影者に指示するためのアドバイス等とが関連付けられたアドバイステーブルが格納される。
【００６５】
次に、以上のように構成された本実施の形態のデジタルカメラ１０の作用について説明する。
【００６６】
まず、一般的な画像の撮影、記録処理の手順について説明する。上記のように、デジタルカメラ１０は、電源／モードスイッチ２８を撮影位置に合わせることで、撮影モードに設定され、撮影が可能になる。そして、撮影モードに設定されることにより、レンズ１４が繰り出され、撮影スタンバイ状態になる。
【００６７】
この撮影モードの下、レンズ１４を通過した被写体光は、レンズ・絞り１２０を介して撮像素子１２４の受光面に結像される。撮像素子１２４の受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズ１４を通過した被写体光は、各フォトダイオードによって受光され、入射光量に応じた量の信号電荷に変換される。
【００６８】
各フォトダイオードに蓄積された信号電荷は、タイミングジェネレータ（ＴＧ）１２６から与えられる駆動パルスに基づいて信号電荷に応じた電圧信号（画像信号）として順次読み出され、アナログ処理部１２８に加えられる。
【００６９】
アナログ処理部１２８は入力された画像信号からデジタルのＲ、Ｇ、Ｂ信号を生成してＤＲＡＭ１１６に出力する。
【００７０】
撮影画像をモニタ３１に出力する場合は、ＤＲＡＭ１１６に出力された画像信号より画像信号処理部１３０で輝度／色差信号が生成され、その信号がビデオエンコーダ１４０に送られる。ビデオエンコーダ１４０は、入力された輝度／色差信号を表示用の信号形式（たとえばＮＴＳＣ方式のカラー複合映像信号）に変換し、モニタ３１に出力する。これにより、撮像素子１２４で撮像された画像がモニタ３１に表示される。
【００７１】
撮像素子１２４から画像信号を定期的に取り込み、その画像信号から生成される輝度／色差信号によってＤＲＡＭ１１６内の画像データを定期的に書き換え、モニタ３１に出力することにより、撮像素子１２４で撮像される画像がリアルタイムに表示される。撮影者は、このモニタ３１にリアルタイムに表示される画像（スルー画像）を見ることにより、撮影画角を確認することができる。
【００７２】
撮影はシャッターボタン２６の押下によって行なわれる。シャッターボタン２６が半押しされると、Ｓ１ＯＮ信号がＣＰＵ１１０に入力され、ＣＰＵ１１０はＡＥ／ＡＦ処理を実施する。
【００７３】
まず、撮像素子１２４から取り込まれた画像信号がＡＦ検出部１３４並びにＡＥ／ＡＷＢ検出部１３６に入力される。ＡＦ検出部１３４で求めた積算値のデータはＣＰＵ１１０に通知される。ＣＰＵ１１０は、レンズ・絞り駆動部１２２を制御してレンズ・絞り１２０のフォーカスレンズ群を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、レンズ・絞り駆動部１２２を制御する。
【００７４】
ＣＰＵ１１０は、ＡＥ／ＡＷＢ検出部１３６から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像素子１２４の電子シャッターとレンズ・絞り駆動部１２２を制御して適正な露光量を得る。同時に、検出された被写体輝度より、ストロボの発光が必要かどうかを判断する。
【００７５】
また、ＡＥ／ＡＷＢ検出部１３６は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００７６】
以上のように、シャッターボタン２６の半押しによって、ＡＥ／ＡＦ処理が行なわれる。なお、撮影者は、必要に応じてズームボタン３８を操作し、レンズ１４をズーミングさせて画角を調整する。
【００７７】
この後、シャッターボタン２６が全押しされると、ＣＰＵ１１０にＳ２ＯＮ信号が入力され、ＣＰＵ１１０は、撮影、記録処理を開始する。すなわち、測光結果に基づき決定されたシャッター速度、絞り値で撮像素子１２４を露光する。この際、必要に応じてストロボ１６を発光させる。
【００７８】
撮像素子１２４から出力された画像信号は、アナログ処理部１２８を介してＤＲＡＭ１１６に取り込まれ、画像信号処理部１３０において輝度／色差信号に変換されたのち、ＤＲＡＭ１１６に格納される。
【００７９】
ＤＲＡＭ１１６に格納された画像データは、圧縮伸張処理部１４８に加えられ、所定の圧縮フォーマット（たとえばＪＰＥＧ形式）に従って圧縮された後、ＤＲＡＭ１１６に格納され、所定の画像記録フォーマット（たとえばＥｘｉｆ形式）の画像ファイルとされたのち、カードＩ／Ｆ１３８を介してメモリカード１３９に記録される。
【００８０】
以上のようにしてメモリカード１３９に記録された画像は、電源／モードスイッチ２８を再生位置に合わせて、デジタルカメラ１０のモードを再生モードに設定することにより、モニタ３１で再生表示させることができる。
【００８１】
電源／モードスイッチ２８を再生位置に合わせて、デジタルカメラ１０のモードを再生モードに設定すると、ＣＰＵ１１０は、カードＩ／Ｆ１３８にコマンドを出力し、メモリカード１３９に最後に記録された画像ファイルを読み出させる。
【００８２】
読み出された画像ファイルの圧縮画像データは、ＣＰＵ１１０に加えられ、非圧縮の輝度／色差信号に伸張されたのち、ビデオエンコーダ１４０を介してモニタ３１に出力される。これにより、メモリカード１３９に記録されている画像がモニタ３１に再生表示される。
【００８３】
画像のコマ送りは、十字ボタン４０の左右のキー操作によって行なわれ、十字ボタン４０の右キーが押されると、次の画像ファイルがメモリカード１３９から読み出され、モニタ３１に再生表示される。また、十字ボタン４０の左キーが押されると、一つ前の画像ファイルがメモリカード１３９から読み出され、モニタ３１に再生表示される。
【００８４】
さて、本実施の形態のデジタルカメラ１０では、通常の撮影モードの他に、設定した構図を他者に伝え、意図した記念写真を撮影してもらう記念写真撮影モードを有している。以下、この記念写真撮影モードにおける撮影、記録処理の手順について説明する。
【００８５】
図４は、上記デジタルカメラ１０の記念写真撮影モードにおける仮撮影の処理の流れを示すフローチャートである。
【００８６】
ＣＰＵ１１０は、ユーザがシャッターボタン２６を全押ししたことを検出すると、レンズ・絞り１２０、撮像素子１２４等に指令を出し、上に記載した一般的な画像の撮影処理の手順に基づいて構図決定用の画像を撮影する（ステップＳ１０）。ステップＳ１０で撮影された構図決定用の画像は、モニタ３１に表示される。
【００８７】
ＣＰＵ１１０は、ステップＳ１０で撮影した画像データを顔検出部１３２に入力し、顔検出部１３２は、ＣＰＵ１１０からの指令に基づき、画像データから画像内の顔領域を抽出し、その位置（本実施の形態では、顔領域の重心とする）を検出する（ステップＳ１２）。画像データに複数の顔が含まれる場合には、顔検出部１３２は複数の顔領域を抽出し、それぞれについて顔領域の重心を検出する。それと共に、ＣＰＵ１１０は、顔検出部１３２が検出した顔領域に四角形の枠（以下、顔検出枠という）を表示するようにビデオエンコーダ１４０に指示し、ビデオエンコーダ１４０は、ステップＳ１０で撮影された画像に顔検出枠を合成してモニタ３１に出力する。これにより、図５に示すように、ステップＳ１０で撮影された画像に顔検出枠が重ねられた画像がモニタ３１に表示される。
【００８８】
ＣＰＵ１１０は、キー入力部から入力された信号に基づいて、ステップＳ１２で検出された顔が記念写真の被写体となる顔であるかどうかを判断する（ステップＳ１４）。ステップＳ１２で顔が１つしか検出されなかった場合には、ＣＰＵ１１０は、検出された顔を顔ａ（基準となる顔）とし、その顔領域の重心の位置を顔ａの位置とする（ステップＳ１４でＹＥＳ）。横方向をｘ、縦方向をｙとし、画像の左上を（０，０）としたときに、重心の位置は座標（Ｘ，Ｙ）（Ｘ，Ｙは整数）で表され、顔領域は重心の位置の座標を服す所定の領域として表される。
【００８９】
ステップＳ１２で顔が複数検出された場合（ステップＳ１４でＮＯ）には、ＣＰＵ１１０は、タッチパネル３２へ指示を入力するようにユーザに促すメッセージをスピーカ３６を介して出力する。ユーザによりタッチパネル３２への入力が行われると、ＣＰＵ１１０は、入力が行われたタッチパネル３２上の位置を検出する。本実施の形態では、入力が行われたタッチパネル３２上の位置は、顔領域の重心の位置と同様、座標で表される。そして、入力が検出されたタッチパネル３２上の位置を示す座標を含む顔領域を抽出し、この顔領域の顔を顔ａとする（ステップＳ１６）。図５に示す画像がモニタ３１に表示された場合において、バツ印の位置の検出ブロックへの入力を検出すると、ＣＰＵ１１０は、これを検出し、×印の画素が含まれる顔領域、すなわち一番左に表示された顔を顔ａとする。
【００９０】
ステップＳ１４又はＳ１６で顔ａが選択されると、ＣＰＵ１１０は、記念写真において顔ａとは別の顔（例えば、自分の顔）が入るべき位置を入力するようにユーザへ促すメッセージをスピーカ３６を介して出力する。ユーザによりタッチパネル３２への入力が行われると、ＣＰＵ１１０は、入力が行われた位置を検出し、入力が検出された位置を中心とする所定の領域を顔ｂが表示される領域として設定する（ステップＳ１８）。図５に示す画像がモニタ３１に表示された場合において、ユーザがタッチパネル３２の黒丸印の位置で入力を検出すると、ＣＰＵ１１０は、これを検出し、図５において黒丸の位置を中心とした所定の面積の領域、すなわち黒丸印が含まれる点線の領域を顔ｂの領域とする。
【００９１】
ＣＰＵ１１０は、ステップＳ１４又はＳ１６で選択された顔ａの顔領域の重心と、ステップＳ１８で入力が検出された位置とを基準線生成部１４２に入力し、基準線生成部１４２は、これらの点を結んだ線を基準線（以下、基準線１という）として生成し（ステップＳ２０）、基準線１の情報を基準線生成部１４２のメモリ領域に保存する（ステップＳ２２）。また、入力された顔ｂの領域についても、基準線生成部１４２のメモリ領域に保存される。
【００９２】
以上で、仮撮影、すなわち記念撮影の準備として構図決定をするための撮影を終了する。これにより、希望の構図をデジタルカメラ１０に設定することができる。なお、ステップＳ１６及びＳ１８において、メッセージをスピーカ３６を介して出力したいが、文字情報を画像と重ねてモニタ３１に表示するようにしてもよい。また、ステップＳ１８において顔ｂが表示される領域を設定したが、入力された位置が検出できれば基準線１の生成が可能であるため、領域の設定は必須ではない。
【００９３】
次に、他者に依頼した記念写真の撮影（以下、本撮影という）を開始する。図６は、上記デジタルカメラ１０の記念写真撮影モードにおける本撮影の処理の流れを示すフローチャートである。
【００９４】
図６のフローの開始に当たり、まず、ユーザが他者に記念写真の撮影を依頼する。キー入力部１１２をユーザが操作することによりＣＰＵ１１０に指示が入力されると、ＣＰＵ１１０は、基準線生成部１４２のメモリ領域に保存された基準線１や顔ｂの領域をビデオエンコーダ１４０に出力し、ビデオエンコーダ１４０は、仮撮影で撮影した画像に、基準線１や顔ｂの領域を示す枠などを重ねてモニタ３１に表示する。これにより、撮影を依頼された他者は、ユーザが設定した構図を確認することができる。なお、ステップＳ１８で顔ｂが表示される領域を設定しなかった場合には、顔ｂの領域を示す枠の代わりにタッチパネル３２への入力が行われた位置を表示すればよい。
【００９５】
記念写真の撮影を依頼された他者は、ユーザが被写体として画角内に入ったと思われたら、キー入力部１１２を操作し、本撮影を開始する。キー入力部１１２を他者が操作することにより、本撮影開始の指示がＣＰＵ１１０に入力されると、ＣＰＵ１１０は、レンズ・絞り１２０、撮像素子１２４等に指令を出し、上に記載した手順に基づいてスルー画像を撮影する（ステップＳ３０）。ステップＳ３０で撮影されたスルー画像は、モニタ３１に表示される。
【００９６】
顔検出部１３２は、ステップＳ３０で撮影されたスルー画像から全ての顔領域を検出し、その中から顔ａ、顔ｂ及び顔ａ、顔ｂの位置を検出する（ステップＳ３２）。顔ａ、顔ｂの位置は、顔ａ、顔ｂの顔領域の重心として求められる。
【００９７】
ＣＰＵ１１０は、ステップＳ２１で顔ａとして検出された顔が、ステップＳ１４又はＳ１６で検出された顔ａと同じであるか否か、及びステップＳ２１で顔ａとして検出された顔領域の重心の座標と、ステップＳ１４又はＳ１６で検出された顔ａの重心の位置とが略同じ（所定の範囲内にあれば略同じであるとする、以下同じ）であるか否かを判断する（ステップＳ３４）。
【００９８】
ステップＳ３２で顔ａとして検出された顔が、ステップＳ１４又はＳ１６で検出された顔ａと同じでない場合、又はステップＳ３２で顔ａとして検出された顔領域の重心の座標と、ステップＳ１４又はＳ１６で検出された顔ａの重心の位置とが略同じでないとＣＰＵ１１０が判断した場合（ステップＳ３４でＮＯ）には、再度ステップＳ３０で撮影されたスルー画像から顔ａ、顔ｂ及び顔ａ、顔ｂの位置を検出するステップ（ステップＳ３２）を行う。
【００９９】
ステップＳ３２で顔ａとして検出された顔が、ステップＳ１４又はＳ１６で検出された顔ａと同じであり、かつステップＳ３２で顔ａとして検出された顔領域の重心の座標と、ステップＳ１４又はＳ１６で検出された顔ａの重心の位置とが略同じであるとＣＰＵ１１０が判断した場合（ステップＳ３４でＹＥＳ）には、ＣＰＵ１１０は、基準線生成部１４２にステップＳ３２で顔ａとして検出された顔領域の重心の座標と、ステップＳ３２で顔ｂとして検出された顔領域の重心の座標とを基準線生成部１４２に入力し、基準線生成部１４２は入力された２つの座標を結ぶことにより、図７に示すように、新たな基準線（以下、基準線２という）を生成する（ステップＳ３６）。
【０１００】
そして、基準線演算部１４４は、ステップＳ２２で生成し、基準線生成部１４２のメモリ領域に保存された基準線１の情報を取得し、その基準線１と、ステップＳ３６で生成した基準線２との成す角度（θ１と定義する、以下、角度θ１という）を算出する（ステップＳ３８）。
【０１０１】
基準線演算部１４４は、角度θ１が閾値以上であるか否かを判断する（ステップＳ４０）。
【０１０２】
角度θ１が閾値以上であると基準線演算部１４４が判断した場合、すなわちステップＳ３２で顔ｂとして検出された顔領域が、ステップＳ１８で顔ｂが表示される領域として設定された領域と略一致しない場合（ステップＳ４０でＮＯ）は、ユーザの希望する構図とは異なる場合である。そのため、基準線演算部１４４は、アドバイステーブル格納部１４６に保存されたアドバイステーブルから角度θ１に対応するアドバイスを取得し、ビデオエンコーダ１４０に出力する（ステップＳ４２）。
【０１０３】
反時計回りを正の角度と定義すると、角度θ１は負の角度であり、角度θ１を０に近づけるためには右側を下げるようにデジタルカメラ１０を回転させる、すなわちデジタルカメラ１０を時計回りに回転させる必要がある。したがって、アドバイステーブルには、角度θ１が負の角度であり、その絶対値が閾値以上の場合には、時計回りの回転を示す矢印などの図形情報、「もう少し右を下げてください」などの文字情報などがアドバイスとして関連付けて保存されている。
【０１０４】
逆に、角度θ１が正の角度である場合には、デジタルカメラ１０を反時計回りに回転させる必要がある。したがって、アドバイステーブルには、角度θ１が正の角度であり、その絶対値が閾値以上の場合には、反時計回りの回転を示す矢印などの図形情報、「もう少し右を上げてください」などの文字情報などがアドバイスとして関連付けて保存されている。
【０１０５】
ビデオエンコーダ１４０は、ステップＳ３０で撮影されたスルー画像と、顔検出部１３２により検出された全ての顔領域を示す顔検出枠と基準線生成部１４２から出力された基準線１、基準線２と、基準線演算部１４４から出力されたアドバイスとを合成してモニタ３１に出力する（ステップＳ４４）。基準線演算部１４４から図形情報をアドバイスとして出力した場合のモニタ３１の表示は図８のようになり、基準線演算部１４４から文字情報をアドバイスとして出力した場合のモニタ３１の表示は図９のようになる。これにより、希望の構図になるように撮影を依頼された他者を誘導することができる。そして、撮影したスルー画像から顔を検出するステップ（ステップＳ３２）に戻る。
【０１０６】
角度θ１が閾値より小さいと基準線演算部１４４が判断した場合は、図１０に示すように、ステップＳ１８で設定された顔ｂの領域又は顔ｂの領域と略同一の領域内で顔が検出された場合であり、ユーザの希望する構図通りの場合又はその構図に近い場合である。そのため、基準線演算部１４４はＣＰＵ１１０に判断結果を出力し、ＣＰＵ１１０は、上に記載した一般的な方法と同様の方法により、ＡＥ／ＡＦ処理、撮影、記録処理を行なう（ステップＳ４６）。本実施の形態では、ステップＳ１８で設定された顔ｂの領域内でユーザの顔が検出された場合に自動的にＡＥ／ＡＦ処理、撮影、記録処理を行なうようにする。このように、設定した構図となったタイミングを逃さずに撮影処理を行なうことで、設定した構図での撮影を確実に行うことができる。
【０１０７】
本実施の形態によれば、あらかじめ構図を設定することにより、他者に記念写真の撮影を依頼する場合に、希望の構図を他者に示すことができる。これにより、希望通りの構図で記念写真を撮影してもらうことができる。
【０１０８】
また、本実施の形態によれば、記念写真の撮影時に、希望の構図になるように撮影を依頼された他者を誘導することができる。
【０１０９】
なお、本実施の形態では、モニタ３１の前面にタッチパネル３２を設け、タッチパネル３２への検出に基づいて顔ｂが表示される領域の設定（ステップＳ１８）などを行ったが、タッチパネルを設けず、キー入力部１１２からの入力に応じて顔ｂが表示される領域の設定（ステップＳ１８）などを行ってもよい。
【０１１０】
また、本実施の形態では、本撮影の開始前に記念写真の撮影を依頼するときに、仮撮影で撮影した画像に、基準線１や顔ｂの領域を示す枠などを重ねてモニタ３１に表示したが、この表示は必須ではない。
【０１１１】
また、本実施の形態では、ＣＰＵ１１０は、ステップＳ３４において、ステップＳ２１で顔ａとして検出された顔が、ステップＳ１４又はＳ１６で検出された顔ａと同じであるか否か、及びステップＳ２１で顔ａとして検出された顔領域の重心の座標と、ステップＳ１４又はＳ１６で検出された顔ａの重心の位置とが略同じであるか否かを判断したが、ステップＳ２１で顔ａとして検出された顔が、ステップＳ１４又はＳ１６で検出された顔ａと同じであるか否かの検出は必須ではなく、これを省略しても希望する構図と同じ又はそれに近い記念写真の撮影は可能である。ただし、ステップＳ１４又はＳ１６で検出された顔ａと同じであるか否かの検出をすることにより、関係の無い顔が検出され、希望に沿わない記念写真が撮影されてしまうという不具合を回避することができる。
【０１１２】
また、本実施の形態では、ステップＳ４４において、基準線演算部１４４から出力されたアドバイスをスルー画像と合成してモニタ３１に出力したが、ユーザに構図の変更を促すような音声や音をスピーカ３６を介して出力してもよいし、音声又は音と、モニタ３１への表示とを併用してもよい。
【０１１３】
また、本実施の形態では、ステップＳ４６において、ステップＳ１８で設定された顔ｂの領域又は顔ｂの領域と略同一の領域内でユーザの顔が検出されると、自動的にＡＥ／ＡＦ処理、撮影、記録処理を行なうようにしたが、ユーザがシャッターボタン２６を半押ししてＣＰＵ１１０にＳ１ＯＮ信号が入力されたときにＡＥ／ＡＦ処理を行い、ユーザがシャッターボタン２６を全押ししてＣＰＵ１１０にＳ２ＯＮ信号が入力されたときに撮影、記録処理を行なうようにしてもよい。
【０１１４】
また、本実施の形態では、ステップＳ４０において、角度θ１が閾値以上であるか否かを判断したが、角度θ１が所定の閾値以上であり、かつ所定の閾値より大きい第２の閾値以下である場合にのみアドバイス生成処理（ステップＳ４２）に進むようにしてもよい。角度θ１が第２の閾値より大きい場合は、意図的に構図からはずれたポーズをした場合であり、このような場合にアドバイスを行わないようにすることにより、より的確にアドバイスをすることができる。
【０１１５】
また、本実施の形態における本撮影において、ステップＳ３２で顔ａとして検出された顔が、ステップＳ１４又はＳ１６で検出された顔ａと同じであり、かつステップＳ３２で顔ａとして検出された顔領域の重心の座標と、ステップＳ１４又はＳ１６で検出された顔ａの重心の位置とが略同じである場合（ステップＳ３４でＹＥＳ）には、ステップＳ１８で設定された顔ｂの領域又は顔ｂの領域と略同一の領域内で顔が検出されたかどうかを判断し、顔が検出された場合には自動的に撮影を行うようにしてもよい。また、モニタ３１に基準線１と顔ｂの領域を示す枠を表示し、記念写真の撮影を依頼した他者に希望する構図を伝えるようにしてもよい。
【０１１６】
また、本発明の適用は、デジタルカメラに限定されるものではなく、カメラ付き携帯電話機やビデオカメラ等の撮像装置にも同様に適用することができる。
【図面の簡単な説明】
【０１１７】
【図１】本発明の第１の実施の形態のデジタルカメラ１０の正面斜視図である。
【図２】上記デジタルカメラ１０の背面図である。
【図３】上記デジタルカメラ１０の概略構成を示すブロック図である。
【図４】上記デジタルカメラ１０の記念写真撮影モードにおける仮撮影の処理の流れを示すフローチャートである。
【図５】上記デジタルカメラ１０の仮撮影の処理の内容を説明する図である。
【図６】上記デジタルカメラ１０の記念写真撮影モードにおける本撮影の処理の流れを示すフローチャートである。
【図７】上記デジタルカメラ１０の仮撮影の処理の内容を説明する図である。
【図８】上記デジタルカメラ１０の仮撮影の処理の内容を説明する図である。
【図９】上記デジタルカメラ１０の仮撮影の処理の内容を説明する図である。
【図１０】上記デジタルカメラ１０の仮撮影の処理の内容を説明する図である。
【符号の説明】
【０１１８】
１０…デジタルカメラ、１２…カメラボディ、１４…レンズ、１６…ストロボ、１８…ファインダ窓、２０…セルフタイマランプ、２２…ＡＦ補助光ランプ、２４…ストロボ調光センサ、２６…シャッターボタン、２８…電源／モードスイッチ、３０…モードダイヤル、３２…モニタ、３４…ファインダ接眼部、３８…ズームボタン、４０…十字ボタン、４２…ＭＥＮＵ／ＯＫボタン、４４…ＤＩＳＰボタン、４６…ＢＡＣＫボタン、１１０…ＣＰＵ、１１２…キー入力部、１１４…アドレス・データバス、１１６：ＤＲＡＭ、１１８：内蔵フラッシュメモリ、１２０：レンズ・絞り、１２２：レンズ・絞り駆動部、１２４：撮像素子、１２６：タイミングジェネレータ（ＴＧ）、１２８：アナログ処理部、１３０：画像信号処理部、１３２：顔検出部、１３４：ＡＦ検出部、１３６：ＡＥ／ＡＷＢ検出部、１３８：カードＩ／Ｆ、１３９：メモリカード、１４０：ビデオエンコーダ、１４２：基準線生成部、１４４：基準線演算部、１４６：アドバイステーブル格納部
【図１】
2010141609.tif 000003
【図２】
2010141609.tif 000004
【図３】
2010141609.tif 000005
【図４】
2010141609.tif 000006
【図５】
2010141609.tif 000007
【図６】
2010141609.tif 000008
【図７】
2010141609.tif 000009
【図８】
2010141609.tif 000010
【図９】
2010141609.tif 000011
【図１０】
2010141609.tif 000012